(57)【要約】  本発明は、回転駆動可能なブラシホルダー（１０、１１）を有し、外側に向かって突起した剛毛（５）を有する剛毛冠（８）を有するリングブラシ（４、５）を有し、および回転する剛毛冠（８）に潜没する停止手段（１４）を有するブラシアッセンブリ（３）に関する。発明に従い、停止手段（１４）が、同時に剛毛（５）の為の砥体（１４）として形成されており、両方の機能（停止機能と研磨機能）の間を、リングブラシ（４、５）の回転方向の要求に応じて、および／または剛毛冠（８）に体する停止手段の調節位置の要求に応じて区別されることが提案される。
2013538699.tif 000002
【特許請求の範囲】
【請求項１】
回転駆動可能なブラシホルダー（１０、１１）を有し、外側に向かって突起した剛毛（５）を有する剛毛冠（８）を有するリングブラシ（４、５）を有し、および回転する剛毛冠（８）に潜没する停止手段（１４）を有するブラシアッセンブリ（３）において、
停止手段（１４）が、同時に剛毛（５）の為の砥体（１４）として形成されており、両方の機能（停止機能と研磨機能）の間を、リングブラシ（４、５）の回転方向の要求に応じて、および／または剛毛冠（８）に体する停止手段の調節位置の要求に応じて区別されることを特徴とするブラシアッセンブリ（３）。
【請求項２】
リングブラシ（４、５）が時計回りまたは反時計回りに回転し、それぞれの回転方向（Ｒ）が、一方では停止機能に、そして他方では停止手段（１４）の研磨機能に相当することを特徴とする請求項１に記載のブラシアッセンブリ（３）。
【請求項３】
停止手段（１４）が、剛毛冠（８）に体して調整可能に形成されていることを特徴とする請求項１または２に記載のブラシアッセンブリ（３）。
【請求項４】
停止手段（１４）が半径方向および／または接線方向に調整可能に形成されていることを特徴とする請求項３に記載のブラシアッセンブリ（３）。
【請求項５】
停止手段（１４）が偏心して調整可能に実施されていることを特徴とする請求項３または４に記載のブラシアッセンブリ（３）。
【請求項６】
停止手段（１４）が、駆動される剛毛（５）によって調整されることを特徴とする請求項１から５のいずれか一項に記載のブラシアッセンブリ（３）。
【請求項７】
停止手段（１４）が、アーム（１５）に接続されていることを特徴とする請求項１から６のいずれか一項に記載のブラシアッセンブリ（３）。
【請求項８】
アーム（１５）が揺動可能に機械ハウジング（１）に接続されていることを特徴とする請求項７に記載のブラシアッセンブリ（３）。
【請求項９】
アーム（１５）が偏心アーム（１５）として形成されていることを特徴とする請求項７または８に記載のブラシアッセンブリ（３）。
【請求項１０】
アーム（１５）が、一方では停止機能の修得の為、そして他方では研磨機能の修得の為の少なくとも二つのストッパー（２３、２４）を有することを特徴とする請求項７から９のいずれか一項に記載のブラシアッセンブリ（３）。
【請求項１１】
機械ハウジング（１）、ブラシアッセンブリ（３）およびブラシアッセンブリ（３）のための駆動ユニット（２）を有する回転ブラシ工具であって、ブラシアッセンブリ（３）が、回転して駆動されるブラシホルダー（１０、１１）を有し、および外側に突起した剛毛（５）を有する剛毛冠（８）を有し、および回転する剛毛冠（８）に潜没する停止手段（１４）を有する回転ブラシ工具において、
停止手段（１４）が、同時に剛毛（５）の為の砥体（１４）として形成されており、両方の機能（停止機能および研磨機能）の間を、リングブラシ（４、５）の回転方向の要求および／または停止手段（１４）の剛毛冠（８）に体する調節位置の要求に応じて区別されることを特徴とする回転ブラシ工具。
【請求項１２】
回転して駆動されるブラシホルダー（１０、１１）を有し、および外側向かって突起した剛毛（５）を有する剛毛冠（８）を有するリングブラシ（４、５）を有し、および回転して駆動される剛毛冠（８）に潜没する停止手段（１４）を有するブラシアッセンブリ（３）により材料（１９）の表面を処理するための方法において、
停止手段（１４）が、同時に剛毛（５）の為の砥体として働き、両方の機能（停止機能と研磨機能）の間で、リングブラシ（４、５）の回転方向（Ｒ）の要求および／または停止手段（１４）の剛毛冠（８）に体する調節位置の要求に応じて区別されることを特徴とする方法。
【請求項１３】
リングブラシ（４、５）の両方の回転方向（Ｒ）が、一方では停止手段（１４）の停止機能にそして他方では研磨機能に相当することを特徴とする請求項１２に記載の方法。
【請求項１４】
停止機能の修得の為に停止手段（１４）が、その全断面でもって剛毛冠（８）内へと潜没し、他方で、研磨機能の修得の為に、その断面でもって部分的にのみ剛毛冠（８）内へと潜没し、これが作業方向から見て剛毛（５）の各背面側の研磨的処理の為であることを特徴とする請求項１２または１３に記載の方法。
【請求項１５】
停止手段（１４）が、これと反対に移動する剛毛（５）により、リングブラシ（４、５）の各回転方向（Ｒ）に応じて停止機能へとまたは研磨機能へと切り替えられることを特徴とする請求項１２から１４のいずれか一項に記載の方法。
【発明の詳細な説明】
【技術分野】
【０００１】
本発明は、回転して駆動されるブラシホルダーを有し、および外側に向かって突起した剛毛を有する剛毛冠を有するリングブラシを有し、および回転して駆動される剛毛冠に潜没する停止手段を有するブラシアッセンブリに関する。
【背景技術】
【０００２】
冒頭に記載した構成のブラシアッセンブリにおいては、特許文献１によって、停止手段を用いて剛毛に所定の期間ブレーキがかけられることが提案される。停止手段の通過による剛毛のリリースの後、これによって、つまり剛毛および／またはブラシバンドにより蓄積された運動エネルギーが利用される。これは、剛毛を使った材料の表面の処理の追加的な打撃のために使用される。これによっていわゆるサンドブラストにおいて観測されるようなものと比較可能な効果が達成される。もちろん上述した教義は、ブラスト手段無しで達成されるので、設備技術上の労力は著しく減少され、環境負荷は減少され、そして特に費用も安価となりおよび効果的に作業が行われることが可能である。これは実証済みである。
【０００３】
そのほかに特許文献２により停止手段を有さないブラシアッセンブリが公知となっている。そしてこれは砥体を備えて形成されている。砥体は、リングブラシに対してまたはこの周りにもたらされた剛毛に対して使用され、詳しく言うと、これらの作業方向でみて背面側に使用される。このようにして、剛毛の後研磨が行われ、これによって鈍くなった剛毛の先端が後から研磨されることが可能である。これによって、処理される表面の望まれる荒さ度（Ｒａｕｔｉｅｆｅｎ）が容易に調整されることが可能であり、およびまた保持されることが可能である。この選考技術も基本的に実証済みである。
【０００４】
停止手段を有する特許文献１による回転ブラシ工具において、特許文献２に記載のように追加的に一つの砥体がもうけられ、停止手段のポジティブな効果が剛毛の後研磨の可能性と結びつけられると望ましい。しかしこれによって、比較的出っ張った（ａｕｓｌａｄｅｎｄｅｒ）そして実用的でない構成が生じる。ここに本発明が、起用される。
【先行技術文献】
【特許文献】
【０００５】
【特許文献１】欧州特許第１  ８３４  ７３３  Ｂ１号明細書
【特許文献２】欧州特許出願公開第１  ５９１  ０３７  Ａ２号明細書
【発明の概要】
【発明が解決しようとする課題】
【０００６】
本発明の技術的課題は、このようなブラシアッセンブリをさらに開発し、その結果、剛毛の研磨的作業の追加的可能性が達成される、そして詳しく言うと、これが構造的に簡単でかつコスト面で安価な構成のもと達成されるということである。
【課題を解決するための手段】
【０００７】
この技術的課題の解決の為、そのような形式のブラシアッセンブリは、本発明の枠内では、停止手段が同時に剛毛の為の砥体として形成され、その際、両方の機能の間で、つまり停止機能と研磨機能の間で、リングブラシの回転方向の要求に応じて、および／または停止手段に剛毛冠に体する調節位置の要求に応じて、区別されるという点が際立っている。
【０００８】
つまり本発明の枠内では、必須としての停止手段のほかに、まず第一に追加的な砥体が使用されず、停止手段が同時に剛毛の為の砥体として形成される。その際、停止手段は基本的に特許文献１に記載されるものと同様の機能を有する。つまり、停止手段を使って剛毛が所定の期間ブレーキをかけられるので、その（停止手段からの）リリースのリリースの後に、これによって蓄積された運動エネルギーが、剛毛による材料の表面の追加的かつ打撃的な処理の為に利用される。
【０００９】
このような停止機能に追加的に、停止手段は同時に研磨機能を担う。この研磨機能の枠内で、剛毛は研磨処理を行われる。その際、少なくとも（しかし限定的でなく）提案されるのは、剛毛が、作動方向でみて背面側を砥体により、または停止手段により後からの研磨としての処理を行われるということである。実際に停止手段は、本発明の枠内において有利には、停止手段の異なる表面領域が前述した異なる機能に対して責任を有するよう形成される。
【００１０】
つまり停止手段の表面は、主としてストッパー領域と研磨領域を有している。その際、研磨領域は、これが、停止手段上にもたらされる例えばダイアモンド、鋼玉（Ｋｏｒｕｎｄ）または同様の砥体からなる研磨粒子によって、その研磨機能を可能とされるよう設計または形成されている。当然、研磨領域は停止手段において、または停止手段上において、以下のように定義される、つまり、停止手段が研磨領域において特別荒くされている（けば起てられる）か、または特別な表面処理を施されているかされることによって定義される。いずれにせよ研磨領域は、剛毛の研磨処理の為に、そして多くの場合剛毛の先端の処理の為に適しているよう形成されている。その際、本発明は、剛毛、特に剛毛の先端が、一定の処理時間の後「鈍く」なり、そして再び「尖らせ」られなければならないという知識から出発している。
【００１１】
このため発明にしたがい、停止手段の研磨領域が提供される。その際、剛毛がその剛毛の先端の領域で、停止手段の研磨領域によって、後研磨的処理を施されるということが意図されている。この後研磨的処理は、剛毛の先端の材料摩耗が最小限に減少され、しかし、望まれる先端部形成が達成可能であるという状況を考慮に入れている。ここで本発明は、各剛毛またはその剛毛の先端は、その前側の側面においては、材料の表面の打撃的な処理によって、後ろ側の側面に比べてより強く使い尽くされるという事実から出発している。後ろ側の側面が、上述した研磨処理を施されるとき、よって本発明はこの状況を特に考慮に入れている。後ろ側の側面の処理は、剛毛を（その剛毛の先端において）その作業方向でみて後方側で、上述した後研磨的処理を停止手段の研磨領域を使って施すということと何ら異なった意味を持たない。
【００１２】
上述した停止機能と研磨機能の間で区別することが出来るように、または、剛毛が一方ではストッパー領域とそして他方では停止手段の研磨領域と相互作用するということを達成するために、基本的に二つの異なる方法が考えられ、そして本発明に含まれている。まず第一に、これら両方の機能の間、つまり停止機能と研磨機能が、リングブラシがその回転方向を変更することによってこれら区別される。実際にリングブラシは基本的に時計回りにまたは反時計回りに回転することが可能である。各回転方向は、一方では停止手段の停止機能にそして他方では研磨機能に対応している。例えば、リングブラシの反時計回りの回転は、停止機能に属している。これと反対に、リングブラシの時計回りの回転は、停止手段がその研磨機能を担うことに通じる。この場合、停止手段は基本的に、これが回転する剛毛冠の中に潜没するよう位置づけられる。その際、停止手段は位置固定的に設計される。
【００１３】
剛毛冠に対して停止手段が調整される、または調整可能であるよう設計されるということも代替としてまたは追加的に考えられる。調整は、基本的に停止機能の間、および研磨機能の間に行われることが可能である。その他に、停止手段の調整は、両方の機能の間の期間にあるということも当然に考えられ、本発明に含まれる。しかし設計を、剛毛冠に体する停止手段の異なる調節位置を、上述した両方の機能に属するよう行うこともある。
【００１４】
停止手段の停止機能は、多くの場合、停止手段がその全断面によって剛毛冠内へと潜没するよう選択される。この結果、停止手段の表面に定義されるストッパー領域は、上述した表面のほぼ半分くらいか、または半分よりも多い。これと反対に、停止手段が研磨機能をとるとき、停止手段は剛毛冠内へとその断面でもって部分的にのみ潜没する。多くの場合、剛毛は、停止手段の研磨機能をとるとき、研磨領域において多かれ少なかれ接線方向に沿って摺動している。これによって研磨領域は、停止手段の表面上で比較的小さく形成されることが可能であり、これは典型的には表面の約１０％から５０％を占め、これに対してストッパー領域は停止手段の表面の約３０％から８０％に相当している。
【００１５】
もちろん、一方では停止機能と他方では研磨機能の間の区別の為に、両方の措置の組み合わせも行われることが可能である。この場合、例えば停止機能から研磨機能（および逆）の変換の際には、リングブラシの回転方向だけでなく、停止手段の調節位置もまた追加的に変更される。好ましくは、そのように進められる。つまり、停止機能から研磨機能への変換の際に、リングブラシは例えば元来の反時計回りの回転で保持され、そして研磨機能を発揮することができるよう時計回りの逆の回転方向でもって駆動される。
【００１６】
同時に、この回転方向の変換は、停止手段が、剛毛冠から十分に浮上するので、すでに記載した通り、引き続いての研磨機能の際に、研磨領域を恰も接線方向に通過するということと結びつけられる。剛毛冠に対して調整可能に形成された停止手段は、通常半径方向および／または接線方向に調節されることが可能である。停止手段の偏心した調節は、特に有利である。
【００１７】
これによって、およびこれと関係なく、停止手段を駆動される剛毛によって調節するという可能性も存在する。つまり、停止手段の調節は、外部の追加的な駆動部によってではなく、剛毛自体が、停止手段の調節に作用することによって行われる。多くの場合、設計は、停止機能から研磨機能への変換の場合に、および逆の場合に、リングブラシの回転方向が変更されるよう行われる。回転方向の変換は、同時に、停止手段が調節されることに通じる。この目的の為、停止手段は有利には、一つのアームに接続されており、このアームが機械ハウジングに揺動可能に連結されている。このアームは、多くの場合、偏心アームである。
【００１８】
その上、アームは、少なくとも二つのストッパーを有している、またはアームには二つのストッパーが設けられている。その際、一方のストッパーは、停止機能の為、そして他方のストッパーは研磨機能の為に使用される。
【００１９】
機能変換に伴うリングブラシの回転方向の変換は、停止手段にぶつかる剛毛が、停止手段を調節するということにも通じる。調節運動は、その際、停止手段がその回転方向に属する機能位置、つまり停止機能か研磨機能をとるまで維持される。一貫して、アームに設けられる両方のストッパーは、一方では停止ストッパーとして、そして他方では研磨ストッパーとして設計される。
本発明の大将は、回転ブラシ工具でもある。この回転ブラシ工具は、機械ハウジングと、上述したブラシアッセンブリの為の駆動ユニットを有している。その上、材料の表面を、上述したブラシアッセンブリによって処理するための方法も含まれる。
【００２０】
結果として、ブラシアッセンブリ、付随する回転ブラシ工具、およびブラシアッセンブリによって材料の表面を処理するための方法が記載され、これらによって、簡単かつ耐久性のある表面の処理が達成される。その際、（サンド）ブラストの場合に可能であり、実現されることができるようなものと比較可能な荒さが達成され、そして観察される。もちろん、コストのかかる駆動装置は省略され、そして特にブラスト媒体が、処理される必要が無い。同時に、極めて長い寿命が見られる、というのは剛毛が後から研磨されることが可能であるからである。これらすべては、二つの機能、つまり上述した停止機能と研磨機能が充足する停止手段によって達成される。ここに本質的なメリットを見ることができる。
【００２１】
以下に本発明を単に実施例として表された図面をもとに詳細に説明する。
【図面の簡単な説明】
【００２２】
【図１】本発明にかかる回転ブラシ工具、これによって駆動されるブラシアッセンブリを含む斜視図
【図２】ブラシアッセンブリの停止機能を実現する際の、運転中におけるブラシアッセンブリの詳細図
【図３】同様に運転中であり、詳しく言うと研磨機能を行う状態の図２の対象の図
【図４】停止手段をもたらすためのアームの前面図
【図５】停止手段をもたらすためのアームの後面図
【発明を実施するための形態】
【００２３】
図１には、回転ブラシ工具が表されている。この回転ブラシ工具は、機械ハウジング１と、単に示唆的に表され、この中に収容された、ブラシアッセンブリ３の為の駆動ユニット２を有している。ブラシアッセンブリ３は、リングブラシ４、５を有しており、これらは制限的ではないが実施例においては、ブラシバンド４とこれに接続される外側に向かって突起した剛毛５とともにまとめられている。
【００２４】
剛毛５は、放射方向に、回転中心または回転軸６に向かって延びており、そして基本的にリングぶらし４、５またはブラシバンド４の表面に垂直に起立している。剛毛５は、鋼からなるＵの字の形状の剛毛５である。これら剛毛は、ブラシバンド４内の単に示唆的にのみ表された収容穴７内に差し込まれており、そしてこれらを貫通している（図２参照）。これら剛毛５は、中断部９を伴う剛毛冠８を形成している。リングブラシ４、５は、駆動ユニット２によって回転して駆動されるブラシホルダー１０、１１により担持されている。実際のところブラシホルダー１０、１１は、二つの正面ディスク１０からまとめられており、これら正面ディスクは、一つのスペーサーブッシュ１１によって互いに間隔をあけた位置で保持されている。スペーサーブッシュ１１は、また省略することも可能である。そうするとリングブラシ４、５のブラシバンド４が、スペーサーブッシュ１１の機能を担うこととなる。そのように実施例の枠内では作動する。
【００２５】
図１に基づいてさらに、両方の正面ディスク１０が、軸方向ウェブ１２を有しており、これら軸方向ウェブによりこれらがリングブラシ４、５またはブラシバンド４を中断部９の領域で広がっているのがわかる。両方の正面ディスク１０は、その間に存在するスペーサーブッシュによってブラシバンド４、１１とこれに接続されている剛毛５に対して、互いに抑えられている。これによってリングブラシ４、５が、回転ブラシ工具の駆動ユニット２の駆動ピボット部１３に確実に保持されることが保証される。
【００２６】
図１に示される例の枠内で、ブラシバンド４の周囲に三つ同様に分配された中断部９が実現されている。さらに、回転する剛毛冠８内に潜没する停止手段１４が実現されている。停止手段１４は、限定されないが例えばシリンダー状のピボット部１４であり、このピボット部１４は、アーム１５を介して回転ブラシ工具の機械ハウジング１に接続されている。停止手段１４またはピボット部１４は、駆動ユニット２の駆動ピボット部１３に平行、または回転軸６に平行にアーム１５に設けられており、そしてこれに対して例えばねじ接続されている。その際、停止手段１４の長さは、基本的にブラシバンド４の幅に相当するように選択される結果、停止手段１４は、リングブラシ４、５に対して軸方向に突出しない、またはわずかにしか突出しない。
【００２７】
本発明の枠内で、停止手段１４は二つの機能を担う。つまり、図２に表されるような停止機能と、図３に示されるような研磨機能である。つまり停止手段１４は、同時に剛毛５のための砥体１４として形成される。この目的のため、この場合においてはシリンダー側面として実施される停止手段１４の外側表面１６は、二つの領域を与えられている。実際のところ一方でストッパー領域１６ａが設けられ、他方で研磨領域１６ｂが設けられる。
【００２８】
停止手段４の外側表面１６は、よってストッパー領域１６ａと研磨領域１６ｂから形成されており、これらが多かれ少なかれ補われ、そして多くの場合全体として停止手段１４の外側領域１４を形成する。実際のところストッパー領域１６ａは外側表面１６の約３０％から８０％であり、これに対して研磨領域１６ｂは停止手段１４の外側表面１６の約１０％から５０％を占める。その際、ストッパー漁期１６ａと研磨領域１６ｂは、これらがオーバーラップしないでむしろ間隔をあけずにまたは間隔をあけて互いに連続するよう設けられている。この結果として、剛毛５は、ストッパー領域１６ａとだけ相互作用するか、または研磨領域１６ｂとだけ相互作用する。前者の相互作用には、ブラシアッセンブリ３または回転ブラシ工具全体の停止機能が属し、これと反対に後者の相互作用には研磨機能が相当する。ストッパー領域１６ａおよび／または研磨領域１６ｂは、停止手段１４に統合されて形成されているか、またはこれに追加的に形成されている。例えば、これはキャップによるまたはプレートによるねじ留めによって達成される。これらが、当該ストッパー領域１６ａおよび／または研磨領域１６ｂを定義する。
【００２９】
ブラシアセンブリ３または回転ブラシ工具が、その定期機能を図２にしたがい担う場合、そしてこれに付随する機能位置が存在するとき、停止手段１４は基本的に冒頭に特許文献１を参照して詳細に説明された通りに作動する。この場合、停止手段１４は、回転する剛毛冠８の中へと、詳しく言うとその全断面でもって潜没する。図２に基づき、停止機能は、回転軸６を中心としたリングブラシ４、５の反時計回り方向の回転に相当している。これによって剛毛５は、停止手段１４の領域において所定の期間ブレーキをかける。剛毛５が停止手段１４からフリーとなると、剛毛５および／またはブラシバンド４によって蓄積された運動エネギーが、剛毛５によって、材料１９の表面の追加的な打撃処理の為に利用される。
【００３０】
この例の場合、剛毛５は、図２の矢印によって反時計回りに示唆された回転方向Ｒに、前に向かって傾斜した剛毛の先端５’を有している。当然であるが、これは必須ではない。停止手段１４の剛毛５が実現されている限り、ブラシバンド４は主として変形をうける。したがって、通常垂直にブラシバンド４上に起立している剛毛５は、ブラシバンド４の表面に対して鋭角な位置へと強制される。ある所定の尖った角度から、剛毛の先端５’は、停止手段１４によってもはや引き止められないので、剛毛５は元の形状に戻り、そしてこの過程において剛毛の先端５’は、図２に示唆される円弧２０を描き、この円弧は、剛毛冠８の外側表面１７又は付随する円弧から逸脱している。当該図面には、更にまた全アッセンブリー３のための保護カバー１８が見て取れる。
【００３１】
図２のこの停止機能の他に、停止手段１４は、図３に従い表されるような研磨機能もまた満たしている。研磨機能は、図２の停止機能と反対に、リングブラシ４，５が時計回りに回転することに対応している。このことを、矢印が回転方向Ｒによって明らかにしている。停止機能から研磨機能への変換は、そして逆の変換は、よって回転するリングブラシ４，５の回転方向の変換に相当する。図２と３の比較が明らかにするように、このような回転方向の変換の他に、停止手段１４は調節を行う。実際のところ、図２において停止機能に必要とされる停止手段１４の調節位置は実線で表され、一方、研磨機能に必要とされる調節位置は破線による再現を行われている。
【００３２】
別の表現をすると、両機能の間は、つまり停止手段１４の停止機能と研磨機能の間は、リングブラシ４，５の回転方向Ｒの要求に応じて、および追加的に、剛毛冠８に対する停止手段１４の調節位置の要求に応じて区別される。停止機能の獲得するために、停止手段１４は、その全断面でもって、またはその全外側表面１６でもって剛毛冠８内へと潜没する（図２参照）。これと反対に、図３に従う研磨機能は、停止手段１４がその断面でもって、または外側表面１６でもって部分的にのみ剛毛冠８内へと潜没することに対応している。
【００３３】
実際のところ停止手段１４は、研磨機能中においてその研磨領域１６ｂでもってのみ剛毛冠８内へと潜没する。これによって剛毛５またはその剛毛の先端５’多かれ少なかれ研磨機能中にある停止手段１４の接線方向に通過移動を行う。このようにして剛毛５は、剛毛の先端５’の辺りにおいて、作業方向でみて背面側を研磨処理される。これは例示的にのみ理解されるということは当然であり、その際、剛毛５は基本的に長い長さで研磨処理を行われることが可能である。
【００３４】
図２および３とこれに伴う機能表現の比較は、停止手段１４が半径方向及び／又は接線方向で調整されるということを明らかにしている。実際のところ、停止手段１４は偏心的調節を行われる。この目的の為、停止手段１４はアーム１５に接続されており、このアームが、自身の側で揺動可能に機械ハウジング１に連結されている。アーム１５は、図４および５の表現から証明されるように偏心アーム１５である。この偏心アーム１５は、ベアリングアイ２１を有しており、このベアリングアイは、ベアリングボルト又はベアリングプレート２２を中心外にて差し込まれている。ベアリングプレートまたはベアリングボルト２２は、機械ハウジング１に接続されている。これに対して、実線で表された停止機能を破線で表された研磨機能と比較すると、アームまたは偏心アーム１５は、図２に示唆されているような偏心的な搖動動作を行う。対応する描写は図５に示されている。ここでは、停止手段またはピボット部の搖動動作が同時に矢印によって表されている。その際、実線で表された停止手段またはピボット部１４の位置は停止機能に相当し、これと反対に破線で表された停止手段１４は、研磨機能とこれに属する停止手段１４の機能位置を図解している。
【００３５】
両方の機能または機能位置には、各一つのストッパー２３，２４が設けられており、これは図５のアーム１５の背面図にもっともよく見て取れる。ストッパー２３は、停止ストッパー２３として形成されており、これに対してストッパー２４は、研磨ストッパー２４として表されている。停止ストッパー２３は、アーム又は偏心アーム１５が、停止機能をとる又はこれに属する機能位置をとることに従事する。研磨ストッパー２４は、これと反対に、停止手段１４が研磨機能又はこれに属する機能位置を定義することに従事する。
【００３６】
停止機能から研磨機能への変換は、およびその逆は、その都度、駆動される剛毛５によって行われる。つまり停止手段１４は、駆動される剛毛５によって又は駆動されるリングブラシ４，５によって調整される。このような回転するリングブラシ４，５又は停止手段１４に対して反対に走行する剛毛５による調整は、付随する調整動作が停止ストッパー２３または研磨ストッパー２４によって制限されるまで行われる。
【００３７】
つまり停止手段１４は、これと反対に走る剛毛５によって、リングブラシ４，５の回転方向に応じて、停止機能又は研磨機能へと移行される。停止機能から研磨機能への変換およびその逆は、まずリングブラシ４，５の回転方向が変更されるよう行われる。つまりリングブラシ４，５は、回転方向の変換を行う。リングブラシ４，５の回転方向Ｒの変更によって、停止手段１４もまた調整される。したがって剛毛５が、停止手段１４に対して走行し、およびこれを機械ハウジング１に対して揺動させる。この過程は、相当するストッパー２３，２４が停止手段１４のさらなる揺動動作をブロックするまで行われる。
【００３８】
具体的な例の場合に転用すると、これは、図２に従う停止機能の枠内において、ブラシアッセンブリは、リングブラシ４，５を矢印方向Ｒに相当する反時計回りに回転させることを意味する。この過程において、剛毛は停止手段１４に対して向かい、そして停止手段１４はアーム１５および付随する停止ストッパー２３を介して実線であらわされる位置で固定される。停止手段１４は、よって、すでに記載したとおり、上述した停止機能を担いそして果たす。
【００３９】
よって、図２の停止機能から図３に表される研磨機能へと切り替えられるべきとき、リングブラシ４，５を、回転方向の変換を考慮して反時計回りに駆動するのではなく、むしろ時計回りに駆動することのみが必要とされる。図３がこれを示す。この結果として、停止手段１４は、ある力で時計回りに付勢されそして機械ハウジング１に対して揺動される。この過程は、図２に示唆される位置が達成されるまで行われる。実線で表された位置は、図５にも記載されている。図２および５に破線であらわされた位置は、研磨機能に相当し、図３に実線で表されている。図３の調節位置を越えての停止手段１５の更なる揺動動作は不可能である、というのはアーム１５は、今、研磨ストッパー２４に当接しているからである。この位置において剛毛５は「とがらせ」られる。
【００４０】
というのは、研磨機能中において剛毛５または剛毛の先端５’が多かれ少なかれ停止手段１４の外側表面１６の研磨領域を接線方向にそって滑るからである。このことは補足的に図３の拡大図中に示されている。この研磨領域１６ｂは、研磨コーティングを有してることが可能であるか、又は、剛毛の先端５’がその作業方向においてまたは例示の場合において時計回りの方向において見て背面側で、後研磨的処理を行われるよう処理されている。研磨作業の終了後、問題なく再び停止機能へと移行されることが可能である。この為に、リングブラシ４，５が再度回転方向の変換をおこなわれる必要があるのみである。
【００４１】
この結果として、リングブラシ４，５は、再び反時計まわりに回転する。これは図２に表されている。この回転方向の変換は、ストッパー手段１４に対向して向かう剛毛５が、ストッパー手段１４を反時計回りのある力でもって付勢するという結果を有する。その結果、ストッパー手段１４は図３の実線であらわされている位置、又は図２の破線であらわされている位置から、図２の実線であらわされている位置へと移行する。これはアーム１５が停止ストッパー２３に達するまで行われる。停止ストッパー２３は、アーム１５の同じ方向におけるさらなる動作を阻止する。
【００４２】
明記されていないが、保護カバー１８及び／又は停止手段１４を有するアーム１５を調整可能に機械ハウジング１に接続するという可能性がある。実際のところ、保護カバー１８及び／又はアーム１５は固定部材を有している可能性がある。これら固定部材は、様々な固定、および解除可能な固定を機械ハウジング１に対して可能とする。これに関して、保護カバー１８及び／又はアーム１５及び／又はリングブラシ４，５は差込み可能に設計されることが可能であり、様々な差込み位置に固定されることが可能である。
【図１】
2013538699.tif 000003
【図２】
2013538699.tif 000004
【図３】
2013538699.tif 000005
【図４】
2013538699.tif 000006
【図５】
2013538699.tif 000007
【国際調査報告】
2013538699.tif 000008
2013538699.tif 000009
2013538699.tif 000010
2013538699.tif 000011